(57)【要約】      （修正有）【課題】数字パズルを簡単に容易に行うことができる数字パズル用具を提供する。【解決手段】数字パズル用具１は、上面１１を９桁９行の区画１２に区分した盤１０と、１から９までの各数字を表面２１に記載した第１数字板２０とを備えている。各区画１２に第１数字板２０を配置できるようにしている。さらに、第１数字板２０の裏面に軸状凸部を付設し、各軸状凸部が嵌合する孔または凹部を各区画１２に形成する。【選択図】図１
0003133639.tif 000002
【実用新案登録請求の範囲】
【請求項１】
上面を９桁９行の区画に区分した盤と、
１から９までの各数字を表面に記載した数字板とを備え、
前記各区画に前記数字板を配置できるようにしたことを特徴とする数字パズル用具。
【請求項２】
請求項１記載の数字パズル用具であって、
数字板の裏面に凸部を付設し、
各凸部が嵌合する孔または凹部を各区画に形成することを特徴とする数字パズル用具。
【請求項３】
請求項２記載の数字パズル用具であって、
前記凸部が軸状であることを特徴とする数字パズル用具。
【請求項４】
請求項２記載の数字パズル用具であって、
前記数字板の裏面に付設された凸部の先端側が細くなるように第１傾斜面が形成され、前記凸部の第１傾斜面に嵌合する第２傾斜面が前記盤の各区画の孔または凹部に形成されていることを特徴とする数字パズル用具。
【請求項５】
請求項１記載の数字パズル用具であって、
前記数字板が鉄板等の強磁性体板で形成され、
前記数字板の縁部に摘み用の上方に折れ曲った折れ曲り部が形成され、
前記盤の各区画に磁石が埋め込まれていることを特徴とする数字パズル用具。
【請求項６】
請求項１記載の数字パズル用具であって、
前記数字板に磁石が埋め込まれ、
前記盤の各区画が強磁性体で形成されていることを特徴とする数字パズル用具。
【考案の詳細な説明】
【技術分野】
【０００１】
本考案は数字パズルを行うことができる数字パズル用具に関するものである。
【背景技術】
【０００２】
従来、数字を９行９列に並べて各行各列において１から９までの数字を含むように並べる数字パズルが知られている（例えば非特許文献１参照）。
【非特許文献１】児玉光雄監修、「ｔｈｅ  ナンプレ２  １４０問」、株式会社コスミック出版、２００６年発行
【考案の開示】
【考案が解決しようとする課題】
【０００３】
しかし、上述の数字パズルを実際に行うことができる用具は、知られていなかった。
そこで、本考案が解決しようとする課題は、上記数字パズルを簡単に容易に行うことが
できる数字パズル用具を提供することである。
【課題を解決するための手段】
【０００４】
上記課題を解決するため、請求項１記載の考案は、上面を９桁９行の区画に区分した盤と、１から９までの各数字を表面に記載した数字板とを備え、前記各区画に前記数字板を配置できるようにしたことを特徴とする数字パズル用具である。
請求項１記載の考案により、上面を９桁９行の区画に区分した盤の各区画に１から９までの各数字を表面に記載した数字板を配置して、数字パズルをすることができる。その際、例えば各行および各桁の９個の数字板が１から９の各数字を1つずつ有するようにすることができる。
【０００５】
さらに、請求項２記載の考案は、請求項１記載の数字パズル用具であって、数字板の裏面に凸部を付設し、各凸部が嵌合する孔または凹部を各区画に形成することを特徴とする数字パズル用具である。
請求項２記載の考案により、数字板の裏面の凸部を盤の上面に区分した９桁９行の区画の孔または凹部に嵌合させることにより、前記数字板を前記各区画に配置することができる。
【０００６】
さらに、請求項３記載の考案は、請求項２記載の数字パズル用具であって、前記凸部が軸状であることを特徴とする数字パズル用具である。
請求項３記載の考案により、数字板の裏面の軸状の凸部を盤の各区画の凹部に嵌合させることにより、前記数字板を前記各区画に確実に配置することができる。
【０００７】
さらに、請求項４記載の考案は、請求項２記載の数字パズル用具であって、前記数字板の裏面に付設された凸部の先端側が細くなるように第１傾斜面が形成され、前記凸部の第１傾斜面に嵌合する第２傾斜面が前記盤の各区画の孔または凹部に形成されていることを特徴とする数字パズル用具である。
請求項４記載の考案により、前記数字板の裏面に付設された凸部の先端側が細くなるように形成された第１傾斜面を前記盤の各区画の孔または凹部に形成された第２傾斜面に嵌合させることにより容易に数字板の裏面の凸部を盤の各区画の孔または凹部に嵌合させることができる。
【０００８】
さらに、請求項５記載の発明は、請求項１記載の数字パズル用具であって、前記数字板が鉄板等の強磁性体板で形成され、前記数字板の縁部に摘み用の上方に折れ曲った折れ曲り部が形成され、前記盤の各区画に磁石が埋め込まれていることを特徴とする数字パズル用具である。
請求項５記載の発明により、鉄板等の強磁性体板で形成された数字板が盤の各区画に埋め込まれている磁石に吸引されるので、鉄板等の強磁性体板で形成された数字板を各区画に置いてその位置がずれないようにすることができる。さらに、前記数字板の縁部に形成された摘み用の上方に折れ曲った折れ曲り部を手で摘んで持ち上げることができるので、数字板を盤の区画に置くことおよび区画から離すことが容易になる。
【０００９】
さらに、請求項６記載の発明は、請求項１記載の数字パズル用具であって、前記数字板に磁石が埋め込まれ、前記盤の各区画が強磁性体で形成されていることを特徴とする数字パズル用具である。
請求項６記載の発明により、数字板に埋め込まれた磁石が盤の強磁性体からなる各区画を引き付けるので、数字板を盤の各区画に置いてその位置がずれないようにすることができる。
【考案の効果】
【００１０】
請求項１記載の考案に係わる数字パズル用具を使用して数字パズルをすることができる。
さらに、請求項２記載の考案によれば、請求項１記載の考案の効果とともに、数字板を盤の上面の各区画に位置決めして配置することができる。
さらに、請求項３記載の考案によれば、請求項２記載の考案の効果とともに、数字板を盤の上面の各区画に確実に位置決めして配置することができる。
さらに、請求項４記載の考案によれば、請求項２記載の考案の効果とともに、数字板を盤の上面の各区画に容易に位置決めして配置することができる。
さらに、請求項５記載の考案によっても、請求項１記載の考案の効果とともに、数字板を盤の上面の各区画に位置決めして配置することができる。
さらに、請求項６記載の考案によっても、請求項１記載の考案の効果とともに、数字板を盤の各区画に位置決めして配置することができる。
【考案を実施するための最良の形態】
【００１１】
以下、本考案における実施の形態を図面に基づいて説明する。
図１は本考案の実施の形態に係わる数字パズル用具を示し、図２は図１の数字パズル用具の平面を示し、図３は図１の数字パズル用具の数字板の裏面側を示す。さらに、図４は図１の数字板の第１変形例を示し、（ａ）は正面を示し、（ｂ）は平面を示す。さらに、図５は図１の盤の第１変形例を示し、図６は図５のＡ−Ａ断面を示す。さらに、図７は図１の数字板の第２変形例を示し、（ａ）は全体を示し、（ｂ）は正面を示し、（ｃ）は平面を示し、図８は図１の盤の第２変形例を示し、図９は図８のＢ−Ｂ断面を示す。そして、図１０は本発明の数字パズル用具の使用例を示す。
【００１２】
図１に示すように、数字パズル用具１は、第１盤１０と第１数字板２０とを備えている。第１盤１０の上面１１は９桁９行の区画１２に区分されている。また、第１数字板２０の表面２１には１から９までの各数字２２が記載されている。
具体的には、第１盤１０の上面１１には四角形の外枠線１３が形成され、外枠線１３の内側が横線１４および縦線１５で９桁９行の区画１２に区分されている。なお、横線１４のうち３行毎に区分するものを１４ａ、１４ｂとする。また、縦線１５のうち３桁毎に区分するものを１５ａ、１５ｂとする。そして、各区画１２に第１数字板２０を配置できるようにしている。
【００１３】
さらに、図３に示すように、第１数字板２０の裏面２３に軸状凸部２４が付設されている。軸状凸部２４の軸方向は裏面２３に垂直である。そして、図２に示すように、各区画１２の中央には孔１６が形成され、軸状凸部２４が孔１６に嵌合可能である。軸状凸部２４を孔１６に嵌合させて、各区画１２に第１数字板２０を配置することができる。
【００１４】
以上の構成の数字パズル用具１は、以下の働きをする。
例えば、図１０に示すように、第１数字板２０（図２参照）の数字２２を第１盤１０の上面１１の各区画１２に配置し（非特許文献１参照）、これを問題の条件として、他の各区画１２に第１数字板２０の数字２２を配置することにより、第１盤１０の上面１１の９桁９行の各区画１２に、１から９までの各数字を表面に記載した第１数字板２０を配置して、数字パズルをすることができる。その際、各行および各桁の９個の第１数字板２０が１から９の各数字を1つずつ有するようにすることができる。さらに、横線１４ａ、１４ｂおよび縦線１５ａ、１５ｂで区分された９つの区画１２毎に、９個の第１数字板２０が１から９の各数字を1つずつ有するようにすることができる。
【００１５】
さらに、第１数字板２０の裏面２３の軸状凸部２４を盤の上面に区分した９桁９行の区画１２の孔１６に嵌合させることにより、第１数字板２０を各区画１２に配置することができる。
さらに、凸部が軸状であるので、第１数字板２０を各区画１２に確実に配置することができる。
【００１６】
なお、上記実施の形態において、第１数字板２０が使用されているが、これに限定されず、数字板として例えば図４の第２数字板３０および図７の第３数字板４０を使用することもできる。
【００１７】
図４に示すように、第２数字板３０の裏面３３に付設された凸部３４の先端３４ａ側が細くなるように第１傾斜面３４ｂが形成されている。そして、図５に示すように、凸部３４の第１傾斜面３４ｂに嵌合する第２傾斜面１６ａが第２盤１０ｘの各区画１２ｘの孔１６ｘに形成されている。なお、第２数字板３０の表面３１には、第１数字板２０の表面２１の数字２２と同様の数字が記載されている。
このため、図６に示すように、第２数字板３０の裏面３３に付設された凸部３４の先端３４ａ側が細くなるように形成された第１傾斜面３４ｂを第２盤１０ｘの各区画１２ｘの孔１６ｘに形成された第２傾斜面１６ａに嵌合させることにより容易に第２数字板３０の裏面３３の凸部３４を第２盤１０ｘの各区画１２ｘの孔１６ｘに嵌合させることができる。
【００１８】
さらに、図７に示すように、第３数字板４０が鉄板等の強磁性体板で形成され、第３数字板４０の一方の縁部に摘み用の上方に折れ曲った第１折れ曲り部４３が形成され、他方の縁部に摘み用の上方に折れ曲った第２折れ曲り部４４が形成されている。図８に示すように、第３盤１０ｙの各区画１２ｙに磁石１７が埋め込まれている。なお、第３数字板４０の表面４１には、数字４２が記載されている。数字４２は第1数字板２０の数字２２と同様のものである。また、第３数字板４０の裏面４５は平坦である。
このため、図９に示すように、鉄板等の強磁性体板で形成された第３数字板４０が第３盤１０ｙの各区画１２ｙに埋め込まれている磁石１７に吸引されるので、第３数字板４０を各区画１２ｙに置いて位置きめすることができる。さらに、第３数字板４０の縁部に形成された摘み用の上方に折れ曲った各折れ曲り部４３、４４のいずれかを手で摘んで持ち上げることができるので、第３数字板４０を第３盤１０ｙの区画１２ｙに置くことおよび区画１２ｙから離すことが容易になる。
【００１９】
さらに、孔１６、１６ｘが形成されているが、これに限定されることなく、孔１６、１６ｘの代わりに凹部を形成してもよい。
また、数字板に磁石を埋め込んで、盤を強磁性体で構成してもよい。
【図面の簡単な説明】
【００２０】
【図１】本考案の実施の形態に係わる数字パズル用具を示す斜視図である。
【図２】図１の数字パズル用具の平面図である。
【図３】図１の数字パズル用具の数字板の裏面側を示す斜視図である。
【図４】図１の数字板の第１変形例を示し、（ａ）は正面図、（ｂ）は平面図である。
【図５】図１の盤の第１変形例を示す平面図である。
【図６】図５のＡ−Ａ断面図である。
【図７】図１の数字板の第２変形例を示し、（ａ）は斜視図、（ｂ）は正面図、（ｃ）は平面図である。
【図８】図１の盤の第２変形例を示す平面図である。
【図９】図８のＢ−Ｂ断面図である。
【図１０】本発明の数字パズル用具の使用例を示す説明図である。
【符号の説明】
【００２１】
１  数字パズル用具
１０  第1盤
１０ｘ  第２盤
１０ｙ  第３盤
１１  上面
１２、１２ｘ、１２ｙ  区画
１６、１６ｘ  孔
１６ａ  第２傾斜面
１７  磁石
２０  第１数字板
２１  表面
２２  数字
２３  裏面
２４  軸状凸部
３０  第２数字板
３３  裏面
３４  凸部
３４ｂ  第１傾斜面
４０  第３数字板
４３  第１折れ曲り部
４４  第２折れ曲り部
【図１】
0003133639.tif 000003
【図２】
0003133639.tif 000004
【図３】
0003133639.tif 000005
【図４】
0003133639.tif 000006
【図５】
0003133639.tif 000007
【図６】
0003133639.tif 000008
【図７】
0003133639.tif 000009
【図８】
0003133639.tif 000010
【図９】
0003133639.tif 000011
【図１０】
0003133639.tif 000012
【手続補正書】
【提出日】平成19年5月17日(2007.5.17)
【手続補正１】
【補正対象書類名】明細書
【補正対象項目名】０００８
【補正方法】変更
【補正の内容】
【０００８】
さらに、請求項５記載の考案は、請求項１記載の数字パズル用具であって、前記数字板が鉄板等の強磁性体板で形成され、前記数字板の縁部に摘み用の上方に折れ曲った折れ曲り部が形成され、前記盤の各区画に磁石が埋め込まれていることを特徴とする数字パズル用具である。
請求項５記載の考案により、鉄板等の強磁性体板で形成された数字板が盤の各区画に埋め込まれている磁石に吸引されるので、鉄板等の強磁性体板で形成された数字板を各区画に置いてその位置がずれないようにすることができる。さらに、前記数字板の縁部に形成された摘み用の上方に折れ曲った折れ曲り部を手で摘んで持ち上げることができるので、数字板を盤の区画に置くことおよび区画から離すことが容易になる。
【手続補正２】
【補正対象書類名】明細書
【補正対象項目名】０００９
【補正方法】変更
【補正の内容】
【０００９】
さらに、請求項６記載の考案は、請求項１記載の数字パズル用具であって、前記数字板に磁石が埋め込まれ、前記盤の各区画が強磁性体で形成されていることを特徴とする数字パズル用具である。
請求項６記載の考案により、数字板に埋め込まれた磁石が盤の強磁性体からなる各区画を引き付けるので、数字板を盤の各区画に置いてその位置がずれないようにすることができる。
【手続補正３】
【補正対象書類名】明細書
【補正対象項目名】００１１
【補正方法】変更
【補正の内容】
【００１１】
以下、本考案における実施の形態を図面に基づいて説明する。
図１は本考案の実施の形態に係わる数字パズル用具を示し、図２は図１の数字パズル用具の平面を示し、図３は図１の数字パズル用具の数字板の裏面側を示す。さらに、図４は図１の数字板の第１変形例を示し、（ａ）は正面を示し、（ｂ）は平面を示す。さらに、図５は図１の盤の第１変形例を示し、図６は図５のＡ−Ａ断面を示す。さらに、図７は図１の数字板の第２変形例を示し、（ａ）は全体を示し、（ｂ）は正面を示し、（ｃ）は平面を示し、図８は図１の盤の第２変形例を示し、図９は図８のＢ−Ｂ断面を示す。そして、図１０は本考案の数字パズル用具の使用例を示す。
【手続補正４】
【補正対象書類名】明細書
【補正対象項目名】００２０
【補正方法】変更
【補正の内容】
【００２０】
【図１】本考案の実施の形態に係わる数字パズル用具を示す斜視図である。
【図２】図１の数字パズル用具の平面図である。
【図３】図１の数字パズル用具の数字板の裏面側を示す斜視図である。
【図４】図１の数字板の第１変形例を示し、（ａ）は正面図、（ｂ）は平面図である。
【図５】図１の盤の第１変形例を示す平面図である。
【図６】図５のＡ−Ａ断面図である。
【図７】図１の数字板の第２変形例を示し、（ａ）は斜視図、（ｂ）は正面図、（ｃ）は平面図である。
【図８】図１の盤の第２変形例を示す平面図である。
【図９】図８のＢ−Ｂ断面図である。
【図１０】本考案の数字パズル用具の使用例を示す説明図である。